(57)【特許請求の範囲】
【請求項１】
浴槽に注湯しまたは浴槽水を追焚きする機能を含む熱源機に備えられまたは接続されて風呂情報を表示する風呂情報表示装置であって、
前記浴槽への累積注湯量が所定水量に到達するまでの間、前記熱源機の動作情報から得られる累積注湯量および設定水位水量を比較して求めた累積注湯量の前記設定水位水量に対する到達度合いを表す到達度情報と、前記設定水位水量、累積注湯量、および前記熱源機の直近の単位時間当たりの注湯量を用いて求めた前記設定水位水量に到達するまでの時間情報とを出力し、累積注湯量が前記所定水量に到達すると、前記熱源機の水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する制御手段と、
前記制御手段の出力情報を表示する情報表示手段と、
を備えることを特徴とする風呂情報表示装置。
【請求項２】
前記制御手段は、浴槽温度、浴槽水位、浴槽水量、前記浴槽への注湯を表す注湯情報のいずれかまたは２以上を含む情報を出力することを特徴とする請求項１に記載の風呂情報表示装置。
【請求項３】
前記浴槽水位は、前記浴槽の底部から設定水位までの所定水位幅を単位とする段階情報であることを特徴とする請求項２に記載の風呂情報表示装置。
【請求項４】
前記情報表示手段は、浴槽水位、注湯中水位、下限および上限水位を含む段階表示、前記浴槽の形態表示、温度または時間を含む数値表示、注湯中または追焚き循環中を表す導水表示のいずれかまたは２以上を含む情報を表示することを特徴とする請求項２に記載の風呂情報表示装置。
【請求項５】
熱源機または該熱源機に接続されるリモコン装置に搭載されたコンピュータで実行されるための風呂情報表示プログラムであって、
前記浴槽への累積注湯量が所定水量に到達するまでの間、前記熱源機の動作情報から得られる累積注湯量および設定水位水量を比較して求めた累積注湯量の前記設定水位水量に対する到達度合いを表す到達度情報と、前記設定水位水量、累積注湯量、および前記熱源機の直近の単位時間当たりの注湯量を用いて求めた前記設定水位水量に到達するまでの時間情報とを出力し、累積注湯量が前記所定水量に到達すると、前記熱源機の水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する機能と、
出力される前記２以上の情報を表示器に表示させる表示制御機能と、
を前記コンピュータに行わせるための風呂情報表示プログラム。
【請求項６】
浴槽に注湯しまたは浴槽水を追焚きする機能を含む熱源機であって、
前記浴槽への累積注湯量が所定水量に到達するまでの間、動作中の動作情報から得られる累積注湯量および設定水位水量を比較して求めた累積注湯量の前記設定水位水量に対する到達度合いを表す到達度情報と、前記設定水位水量、累積注湯量、および単位時間当たりの注湯量を用いて求めた前記設定水位水量に到達するまでの時間情報とを出力し、累積注湯量が前記所定水量に到達すると、水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する制御手段を備え、該制御手段から前記情報をリモコン装置に出力することを特徴とする熱源機。
【請求項７】
熱源機に接続されるリモコン装置であって、
前記浴槽への累積注湯量が所定水量に到達するまでの間、前記熱源機の動作情報から得られる累積注湯量および設定水位水量を比較して求めた累積注湯量の前記設定水位水量に対する到達度合いを表す到達度情報と、前記設定水位水量、累積注湯量、および前記熱源機の直近の単位時間当たりの注湯量を用いて求めた前記設定水位水量に到達するまでの時間情報とを出力し、累積注湯量が前記所定水量に到達すると、前記熱源機の水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する制御手段と、  前記制御手段から前記情報を受け、該情報を表示する情報表示手段と、
を備えることを特徴とするリモコン装置。
【発明の詳細な説明】
【技術分野】
【０００１】
本発明はたとえば、湯温、沸き上がり時間などの風呂情報の表示技術に関する。
【背景技術】
【０００２】
給湯システムには、浴槽への注湯、浴槽水の追焚きなどが可能な熱源機として給湯器が用いられ、この給湯器は室外に設置されるのが一般的である。この給湯器には浴室に浴室リモコン装置、浴室外にたとえば、台所リモコン装置が連係される。これらリモコン装置には、自動運転時の動作情報や給湯温度が表示される。自動運転では、入浴できることを表すガイダンス音声が発せられるものも実用化されている。
【０００３】
このような給湯器などの情報表示に関し、お湯張りや追焚きを自動的に行う給湯器のリモコン装置に時間表示を行うことが知られている（特許文献１）。
【先行技術文献】
【特許文献】
【０００４】
【特許文献１】特開平０１−１６３５５２号公報
【発明の概要】
【発明が解決しようとする課題】
【０００５】
ところで、給湯器では風呂注湯、台所などへの一般給湯などの複数の給湯が行われる。風呂注湯には保温制御を含む自動運転、追焚き運転、シャワー給湯などが含まれる。暖房機能を備える給湯器では、暖房用熱媒の加熱運転も加わることになる。
【０００６】
このような多機能の給湯器では、浴槽水の沸き上げや追焚きなどの運転中に、一般給湯などが併用される。斯かる場合、沸上げや追焚きの到達時間は一様にはならない。つまり、浴槽注湯などの浴槽側の注湯以外の一般給湯によって浴槽側の沸上げや追焚きなどの時間や温度推移が影響を受ける。夏季と冬季では上水温度が異なり、浴槽残水の温度変化など、このような温度の影響も無視できない。
【０００７】
温度などの風呂情報を表示することは日常生活における必要な情報であり、省エネなどの上からも利用されている。しかしながら、現在の風呂情報などの情報表示では、浴槽の動的な情報を知ることができず、利便性が低いという課題がある。
【０００８】
そこで、本発明の目的は上記課題に鑑み、たとえば、入浴前、入浴中、入浴後などの状況に関係なく、利便性の高い動的な情報表示を行うことにある。
【課題を解決するための手段】
【０００９】
上記目的を達成するため、本発明の風呂情報表示装置の一側面によれば、浴槽に注湯しまたは浴槽水を追焚きする機能を含む熱源機に備えられまたは接続されて風呂情報を表示する風呂情報表示装置であって、前記浴槽への累積注湯量が所定水量に到達するまでの間、前記熱源機の動作情報から得られる累積注湯量および設定水位水量を比較して求めた累積注湯量の前記設定水位水量に対する到達度合いを表す到達度情報と、前記設定水位水量、累積注湯量、および前記熱源機の直近の単位時間当たりの注湯量を用いて求めた前記設定水位水量に到達するまでの時間情報とを出力し、累積注湯量が前記所定水量に到達すると、前記熱源機の水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する制御手段と、前記制御手段の出力情報を表示する情報表示手段とを備えればよい。
【００１０】
上記風呂情報表示装置において、前記制御手段は、浴槽温度、浴槽水位、浴槽水量、前記浴槽への注湯を表す注湯情報のいずれかまたは２以上を含む情報を出力してよい。
【００１１】
上記風呂情報表示装置において、前記浴槽水位は、前記浴槽の底部から設定水位までの所定水位幅を単位とする段階情報であってよい。
【００１２】
上記風呂情報表示装置において、前記情報表示手段は、浴槽水位、注湯中水位、下限および上限水位を含む段階表示、前記浴槽の形態表示、温度または時間を含む数値表示、注湯中または追焚き循環中を表す導水表示のいずれかまたは２以上を含む情報を表示してよい。
【００１３】
上記目的を達成するため、本発明の風呂情報表示プログラムの一側面によれば、熱源機または該熱源機に接続されるリモコン装置に搭載されたコンピュータで実行されるための風呂情報表示プログラムであって、前記浴槽への累積注湯量が所定水量に到達するまでの間、前記熱源機の動作情報から得られる累積注湯量および設定水位水量を比較して求めた累積注湯量の前記設定水位水量に対する到達度合いを表す到達度情報と、前記設定水位水量、累積注湯量、および前記熱源機の直近の単位時間当たりの注湯量を用いて求めた前記設定水位水量に到達するまでの時間情報とを出力し、累積注湯量が前記所定水量に到達すると、前記熱源機の水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する機能と、出力される前記２以上の情報を表示器に表示させる表示制御機能とを前記コンピュータに行わせればよい。
【００１４】
上記目的を達成するため、本発明の熱源機は、浴槽に注湯しまたは浴槽水を追焚きする機能を含む熱源機であって、前記浴槽への累積注湯量が所定水量に到達するまでの間、動作中の動作情報から得られる累積注湯量および設定水位水量を比較して求めた累積注湯量の前記設定水位水量に対する到達度合いを表す到達度情報と、前記設定水位水量、累積注湯量、および前記熱源機の直近の単位時間当たりの注湯量を用いて求めた前記設定水位水量に到達するまでの時間情報とを出力し、累積注湯量が前記所定水量に到達すると、前記熱源機の水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する制御手段を備え、該制御手段から前記情報をリモコン装置に出力すればよい。
【００１５】
上記目的を達成するため、本発明のリモコン装置は、熱源機に接続されるリモコン装置であって、前記浴槽への累積注湯量が所定水量に到達するまでの間、前記熱源機の動作情報から得られる累積注湯量および設定水位水量を比較して求めた累積注湯量の前記設定水位水量に対する到達度合いを表す到達度情報と、前記設定水位水量、累積注湯量、および前記熱源機の直近の単位時間当たりの注湯量を用いて求めた前記設定水位水量に到達するまでの時間情報とを出力し、累積注湯量が前記所定水量に到達すると、前記熱源機の水位センサーの検出値から算出される水量情報と前記所定水量との差分を算出し、前記設定水位水量と累積注湯量および前記差分の合計値とを比較して求めた前記到達度情報と、前記設定水位水量、累積注湯量、前記差分および前記単位時間当たりの注湯量を用いて求めた前記時間情報とを出力する制御手段と、前記制御手段から前記情報を受け、該情報を表示する情報表示手段とを備えればよい。
【発明の効果】
【００１６】
本発明によれば、次のいずれかの効果が得られる。
【００１７】
(1) 風呂の沸上げ、追焚きに関する温度、水位、注湯、浴槽水循環などの風呂情報を入浴前、入浴中または入浴後に関係なく動的に表示でき、風呂情報の利便性を向上させることができる。
【００１８】
(2) 浴槽に対する注湯や追焚き中に浴槽以外の一般給湯などの影響を受けても、その影響に応じた動的な風呂情報を表示できるので、実態に則した表示内容となり、表示内容の信頼性を高めることができる。
【００１９】
(3) 風呂状態を表す風呂情報を動的に表示できるので、入浴前、入浴中または入浴後に関係なく、その風呂情報を活用できる。
【００２０】
(4) 風呂状態を動的な風呂情報で表示するので、その表示内容に応じて動作の選択、切り替えや入浴タイミングに利用でき、省エネ対策にも利用できる。
【図面の簡単な説明】
【００２１】
【図１】一実施の形態に係る風呂情報表示装置の一例を示す図である。
【図２】一実施の形態に係る風呂情報表示の処理手順の一例を示すフローチャートである。
【図３】風呂情報表示の一例を示す図である。
【図４】風呂装置の一例を示す図である。
【図５】風呂装置の制御系統の一例を示す図である。
【図６】リモコン装置および風呂情報表示の一例を示す図である。
【図７】浴槽水位の段階設定の一例を示す図である。
【図８】風呂情報表示の処理手順の一例を示す図である。
【図９】全自動運転の初回動作の処理手順の一例を示すフローチャートである。
【図１０】全自動運転の通常動作の処理手順の一例を示すフローチャートである。
【図１１】図１０に続く全自動運転の通常動作の処理手順の一例を示すフローチャートである。
【図１２】全自動運転の通常動作の特定段階における風呂情報表示の一例を示す図である。
【図１３】追焚き運転の処理手順の一例を示すフローチャートである。
【図１４】追焚き運転の特定段階における風呂情報表示の一例を示す図である。
【図１５】他の実施例に係る情報表示装置の一例を示す図である。
【発明を実施するための形態】
【００２２】
〔一実施の形態〕
【００２３】
図１は、本発明の一実施の形態に係る風呂情報表示装置を示している。図１に示す構成は一例であり、本発明は斯かる構成に限定されない。
【００２４】
風呂情報表示装置２は、熱源機４の動作情報を受け、風呂情報を動的に表示する。図１に示す構成例では、風呂情報表示装置２は、熱源機制御部５に接続されているが、熱源機制御部５を含んで構成されてよい。熱源機４は浴槽６に注湯しまたは浴槽水ＢＷを追焚きする機能を含み、この熱源機４にはたとえば、風呂給湯器を用いればよい。熱源機制御部５は熱源機４の燃焼制御、注湯を含む給湯制御、追焚き制御などの制御を行う。したがって、この例では、風呂情報表示装置２が熱源機制御部５から動作情報を得て風呂情報を動的に表示する。
【００２５】
風呂情報表示装置２には制御手段８および情報表示手段１０が含まれる。制御手段８はたとえば、コンピュータで構成すればよい。この制御手段８は熱源機制御部５と有線または無線により接続されて熱源機４の動作情報を受ける。したがって、この制御手段８では、熱源機制御部５の動作情報から現在情報を得て、この現在情報と設定値情報とを比較して現在情報の設定値情報に対する到達度合いを表す到達度情報、到達までの時間情報の少なくとも２以上を出力すればよい。この制御手段８には熱源機４の熱源機制御部５を用いてもよいし、熱源機４に接続されるリモコン装置の制御部を用いてもよい。
【００２６】
情報表示手段１０は制御手段の出力情報を表示し、この情報表示手段１０にはたとえば、液晶表示器を用いればよい。情報表示手段１０は制御手段８により制御されてもよいし、制御手段８から情報の提示を受けて独自の表示制御を行ってもよい。この情報表示手段１０にはたとえば、スマートフォンなどの携帯情報端末を用いてよい。
【００２７】
図２は、本発明の一実施の形態に係る風呂情報表示の処理手順の一例を示している。
【００２８】
この処理手順には、制御手段８のコンピュータを用いて情報表示手段１０に風呂情報を表示する処理が含まれる。
【００２９】
この処理手順では、制御手段８が熱源機４からその動作情報を取得する（Ｓ１１）。制御手段８では、取得した動作情報から現在情報を取得し（Ｓ１２）、この現在情報と設定値情報とを比較し（Ｓ１３）、現在情報の設定値情報に対する到達度合いを表す到達度情報を算出し（Ｓ１４）、設定値に到達するまでの時間情報を算出し（Ｓ１５）、これら算出結果として少なくとも２以上の情報を出力する（Ｓ１６）。そして、制御手段８から出力される２以上の情報を情報表示手段１０に表示させる（Ｓ１７）。
【００３０】
図３は、情報表示手段１０に表示させる風呂情報表示の一例を示している。
【００３１】
情報表示手段１０にはたとえば、表示パネル部１２に画面表示部１４が備えられる。表示パネル部１２は、画面表示部１４の外部の固定表示としてガイド表示１６−１を備える。このガイド表示１６−１では、画面表示部１４に表示される動的表示や静止表示の定義情報を表示している。このガイド表示１６−１は、画面表示部１４の表示内容を表す文字などの情報で表示すればよい。特定の情報を表すシンボルであってもよい。
【００３２】
画面表示部１４はたとえば、ＬＣＤ（Liquid Crystal Display）表示器の表示画面であり、動的情報や静止情報を表示する。この画面表示部１４には一例として、浴槽６を表す形態表示１６−２と、浴槽水位、注湯中水位、下限および上限水位を含む段階表示１６−３、１６−４、領域表示１６−５と、温度、時間を含む数値表示１６−６、１６−７、１６−８、１６−９、１６−１０と、注湯中または追焚き循環中を表す導水表示１６−１１、１６−１２と、状態表示１６−１３と、分や温度の単位表示１６−１４と、燃焼表示１６−１５とが含まれる。この燃焼表示１６−１５には給湯燃焼表示および風呂注湯燃焼表示が含まれる。この例では、多数の表示を示しているが、いずれか２以上の表示であればよく、動作状態により表示情報を選択して表示してもよい。複数の表示の同時表示から選択表示としてもよい。
【００３３】
＜一実施の形態の効果＞
【００３４】
この一実施の形態に係る情報表示装置２によれば、次のような効果が得られる。
【００３５】
(1) 従来の風呂情報の表示が主として結果的表示であるのに対し、この風呂情報表示では、入浴中または入浴後に関係なく、刻々と変化する風呂情報の状態表示であり、風呂の沸き上がりの予測時間などの予想情報を動的に表示することができる。したがって、風呂情報を参酌するユーザにあっては、その情報の変化を認識でき、変化する情報に応じた対応をとることができる。たとえば、入浴前であれば風呂温度や沸き上がりの予測時間を参酌して必要な行動をとればよい。また、入浴中であれば、体温との関係を考慮して入浴時間を加減できるなどである。ユーザフレンドリーな入浴を実現でき、入浴に対する利便性を向上させることができる。
【００３６】
(2) 具体的には風呂の沸上げ、追焚きに関する温度、水位、注湯、浴槽水循環などの風呂情報を入浴前、入浴中または入浴後に関係なく動的に表示でき、風呂情報の利便性を飛躍的に向上させることができる。
【００３７】
(3) 浴槽に対する注湯や追焚き中に浴槽以外の一般給湯などの影響を受けても、その影響に応じた動的な風呂情報を表示できるので、実態に則した表示内容となり、表示内容の信頼性を高めることができる。
【００３８】
(4) 風呂状態を表す風呂情報を動的に表示できるので、入浴前、入浴中または入浴後に関係なく、その風呂情報を活用でき、ユーザによる風呂情報の活用の自由度が高められる。
【００３９】
(5) 風呂状態を動的な風呂情報で表示するので、その表示内容に応じて動作の選択、切り替えや入浴タイミングに利用でき、このような入浴タイミングの参照はエネルギー消費との関係からすれば、省エネ対策にも活用できる。
【実施例】
【００４０】
＜風呂給湯器＞
【００４１】
図４は、実施例に係る風呂装置を示している。この風呂装置１８には既述の熱源機４の一例として風呂給湯器２０が備えられる。この風呂給湯器２０は、給湯、自動注湯、浴槽追焚きなどの多機能給湯器の一例である。この風呂給湯器２０には熱媒加熱機能や、暖房機能が付加されてもよい。
【００４２】
この風呂給湯器２０には少なくともひとつの燃焼室２２が備えられる。この燃焼室２２には第１のバーナー２４−１と第２のバーナー２４−２が備えられる。バーナー２４−１は給湯および自動注湯用の燃焼器の一例である。バーナー２４−２は浴槽追焚き用の燃焼器の一例である。
【００４３】
バーナー２４−１には燃料供給管２６から燃料ガスＧが元電磁弁２８−０、ガス比例弁２８−１、燃料制御弁２８−２、２８−３、２８−４および分岐管３０−１、３０−２、３０−３を介して供給され、燃焼ガス量が制御される。バーナー２４−２には元電磁弁２８−１を通過した燃料ガスＧが燃料制御弁２８−５および分岐管３０−４を介して供給され、燃料ガス量が制御される。燃焼室２２には燃焼用空気が給気ファン３２により供給され、燃料ガスＧの燃焼で生じた燃焼排気ＥＧ１、ＥＧ２が排気筒３４−１、３４−２に導かれて外気に放出される。
【００４４】
バーナー２４−１側には第１の熱交換器３６−１、第２の熱交換器３６−２が備えられ、バーナー２４−２側には第３の熱交換器３６−３が備えられる。熱交換器３６−１は、燃焼排気ＥＧ１の上流側で燃焼排気ＥＧ１と上水Ｗの熱交換を行う一次熱交換器である。熱交換器３６−２は、熱交換器３６−１の熱交換後の下流側の燃焼排気ＥＧ１と上水Ｗの熱交換を行う二次熱交換器である。熱交換器３６−３は、燃焼排気ＥＧ２の上流側で燃焼排気ＥＧ２と浴槽水ＢＷの熱交換を行う一次熱交換器である。
【００４５】
熱交換器３６−２の入側には給水路３８−１が接続されて上水Ｗが供給される。この給水路３８−１には温度センサー４０−１および給水量センサー４０−２が備えられ、上水温度や上水Ｗの給水量が検出される。熱交換器３６−２の出側には熱交換器３６−１が接続され、熱交換器３６−２で予備的に熱交換された低温の温水ＨＷが熱交換器３６−１に流入する。熱交換器３６−１の出側には給湯路３８−２が接続され、熱交換器３６−１で熱交換により高温の温水ＨＷが得られる。この給湯路３８−２には水制御弁２８−６および温度センサー４０−３が備えられ、水制御弁２８−６により温水ＨＷの給湯量が制御され、温度センサー４０−３により出湯される温水ＨＷの温度が検出される。
【００４６】
給湯路３８−２と給水路３８−１との間にはバイパス路３８−３が設けられ、このバイパス路３８−３により高温の温水ＨＷに上水Ｗの混合が可能である。このバイパス路３８−３にはバイパス制御弁２８−７が備えられ、このバイパス制御弁２８−７により温水ＨＷに対する上水の混合量が調整される。したがって、給湯路３８−２の出湯温度が所定温度に制御可能であり、温度センサー４０−３には混合温水の温度が検出される。
【００４７】
給湯路３８−２には注湯路３８−４が分岐され、この注湯路３８−４が浴槽水ＢＷの循環路３８−５に接続されている。この注湯路３８−４は浴槽６に温水ＨＷを注湯する際に用いられる。この注湯路３８−４には注湯電磁弁２８−８、逆止弁２８−９、２８−１０および注湯量センサー４０−４が備えられる。注湯電磁弁２８−８は、浴槽６の注湯時に開かれる。逆止弁２８−９、２８−１０は、循環路３８−５側と給湯側とを分離する縁切り手段の一例であり、循環路３８−５側から給湯側への逆流を防止する。注湯量センサー４０−４は、注湯路３８−４に供給される温水ＨＷの注湯量を検出する。
【００４８】
浴槽水ＢＷの循環路３８−５には往き管３８−５１および戻り管３８−５２が備えられ、これら往き管３８−５１および戻り管３８−５２は浴槽６の循環口３９に接続されている。戻り管３８−５２側には循環ポンプ４２、水流センサー４０−５、二方弁２８−１１、水位センサー４０−６、温度センサー４０−７が備えられる。循環ポンプ４２は、駆動時、浴槽水ＢＷを浴槽６から戻り管３８−５２、循環ポンプ４２および熱交換器３６−３に循環させ、熱交換器３６−３から加熱後の浴槽水ＢＷを往き管３８−５１より浴槽６に循環させる。水流センサー４０−５は、浴槽水ＢＷの循環の有無を検出し、温度センサー４０−７は浴槽水ＢＷの温度を検出する。水位センサー４０−６は、浴槽６の浴槽水ＢＷの水位を検出する。
【００４９】
この風呂給湯器２０には筐体内に電装基板４４が備えられ、この電装基板４４には給湯器制御部４６−１が搭載され、電源部４８から給電される。給湯器制御部４６−１には通信ケーブル５０によりリモコン装置５２−１、５２−２が接続されている。リモコン装置５２−１はたとえば、浴室内に設置される所謂浴室リモコンであるが、浴室外に設置されてもよい。リモコン装置５２−２は台所などに設置される浴室外リモコンであり、たとえば、台所リモコンである。
【００５０】
各リモコン装置５２−１、５２−２には情報表示手段１０（図１）の一例として表示器５４−１、５４−２が備えられ、これら表示器５４−１、５４−２の表示画面には現在の浴槽水温度、沸き上がりまでの時間などの風呂情報、その他の制御情報が表示される。
【００５１】
＜風呂給湯器２の制御系統＞
【００５２】
図５は、風呂給湯器２０の制御系統の一例を示している。この制御系統５６では、給湯器制御部４６−１およびリモコン制御部４６−２、４６−３が含まれる。リモコン制御部４６−２はリモコン装置５２−１に搭載され、リモコン制御部４６−３はリモコン装置５２−２に搭載される。
【００５３】
給湯器制御部４６−１にはプロセッサ５８−１、メモリ部６０−１、システム通信部６２−１および入出力部（Ｉ／Ｏ）６４−１を含むコンピュータが用いられる。プロセッサ５８−１は、メモリ部６０−１にあるプログラムにより制御情報の入出力処理、表示制御などのための情報処理、情報の記憶処理などを実行する。
【００５４】
メモリ部６０−１はプロセッサ５８−１の既述の処理を実行するためのプログラムやデータが格納され、刻々と変化する検出データの記憶に用いられる。このメモリ部６０−１にはＲＯＭ（Read-Only Memory）、ＲＡＭ（Random-Access Memory）などが含まれ、データ記憶にはＥＥＰＲＯＭ（Electrically Erasable Programmable Read-Only Memory ）などの不揮発性メモリを用いればよい。
【００５５】
このメモリ部６０−１にはデータ記憶テーブルが備えられ、このデータ記憶テーブルには風呂給湯器２０の設置状況、浴槽６の広さなど、個別情報を初期段階に記憶させる。この記憶情報には各水位状態における検出水位、検出水量などの変動する情報や固定値情報が含まれる。
【００５６】
システム通信部６２−１は、プロセッサ５８−１の制御により、リモコン制御部４６−２、４６−３と連係し、データの授受を行う。このデータの授受には、リモコン装置５２−１、５２−２で実行される情報表示のための処理が含まれる。
【００５７】
Ｉ／Ｏ６４−１は、水位センサー４０−６、温度センサー４０−１、４０−３、４０−７などの各種センサーからの検出情報の取込み、循環ポンプ４２、注湯電磁弁２８−８などの機能部に対する制御情報の出力などに用いられる。
【００５８】
リモコン制御部４６−２にはプロセッサ５８−２、メモリ部６０−２、システム通信部６２−２およびＩ／Ｏ６４−２を含むコンピュータが用いられる。プロセッサ５８−２は、メモリ部６０−２にあるプログラムにより制御情報の入出力処理、表示制御などのための情報処理、情報の記憶処理などを実行する。
【００５９】
メモリ部６０−２はプロセッサ５８−２の既述の処理を実行するためのプログラムやデータが格納され、刻々と変化する検出データの記憶に用いられる。このメモリ部６０−２にはＲＯＭ、ＲＡＭなどが含まれ、データ記憶にはＥＥＰＲＯＭなどの不揮発性メモリを用いればよい。メモリ部６０−２にはメモリ部６０−１と同様にデータ記憶テーブルを備えて既述の情報を記憶してもよい。
【００６０】
システム通信部６２−２は、プロセッサ５８−２の制御により、給湯器制御部４６−１と連係し、データの授受を行う。このデータの授受には、給湯器制御部４６−１で実行される情報表示のための処理が含まれる。
【００６１】
Ｉ／Ｏ６４−２は、電源スイッチなどのスイッチ６６−１からの操作入力の取込み、表示器５４−１、操作状態などを指示するインジケーター６８−１、スピーカー７０−１などの各種機能部に対する制御情報の出力などに用いられる。
【００６２】
リモコン制御部４６−３にはプロセッサ５８−３、メモリ部６０−３、システム通信部６２−３およびＩ／Ｏ６４−３を含むコンピュータが用いられ、これらの機能はリモコン制御部４６−２と同等であるので、その説明を割愛する。メモリ部６０−３にはメモリ部６０−１、６０−２と同様にデータ記憶テーブルを備えて既述の情報を記憶してもよい。
【００６３】
＜リモコン装置５２−１の前面パネル部および風呂情報表示＞
【００６４】
図６のＡは、リモコン装置５２−１の前面パネル部の一例を示している。この前面パネル部７２には情報表示手段１０の一例として、前面パネル部７２の中央に表示器５４−１が備えられ、この表示器５４−１はたとえば、液晶表示器を用いればよい。この表示器５４−１には風呂への注湯状態、給湯、風呂時間、保温時間、風呂水位、現在時間、音量などの動的情報が表示される。現在時間は現在の時刻を表示し、音量はスピーカー音量である。表示器５４−１の前面部には既述の表示パネル部１２が備えられ、この表示パネル部１２には画面表示部１４が備えられる。
【００６５】
この表示器５４−１の下側には、複数のスイッチ６６−１０１、６６−１０２、６６−１０３、６６−１０４、６６−１０５、６６−１０６、６６−１０７、６６−１０８、６６−１０９、６６−１１０、６６−１１１が備えられる。スイッチ６６−１０１は、運転または運転解除の際に押下する。スイッチ６６−１０２は、給湯優先などの動作に優先性を付与する際に操作する。スイッチ６６−１０３は、給湯温度を上昇させる際に操作する。スイッチ６６−１０４は、給湯温度を下降させる際に操作する。スイッチ６６−１０５は、給湯温度などの各種情報の設定時に押下する。スイッチ６６−１０６は、現在の浴槽水ＢＷに常温の上水Ｗを加える際に押下する。スイッチ６６−１０７は、現在の浴槽水ＢＷに温水ＨＷを加える際に操作する。スイッチ６６−１０８は、予約する際に押下する。スイッチ６６−１０９は、浴室内から浴室外のリモコン装置５２−２と通話するインターホン動作の際に押下する。スイッチ６６−１１０は、浴槽水ＢＷを追焚き加熱する際に操作する。スイッチ６６−１１１は、自動運転の際に操作する。
【００６６】
インジケーター６８−１０１は、予約時に点灯する。インジケーター６８−１０２は、燃焼時に点灯する。インジケーター６８−１０３は、高温出湯時、注意を促すために点灯する。インジケーター６８−１０４は通話時、スイッチ６６−１０９の押下により点灯する。インジケーター６８−１０５は追焚き時、スイッチ６６−１１０の押下により点灯する。インジケーター６８−１０６は自動運転時、スイッチ６６−１１１の押下により点灯する。インジケーター６８−１０７は、運転時、その解除などを指示する際に点灯する。
【００６７】
スピーカー７０−１は、インターホン動作時の音声出力や、動的情報に付随する音声情報の出力に用いられる。
【００６８】
図６のＢは、表示器５４−１の表示パネル部１２の一例を示している。この表示パネル部１２の中央部には画面表示部１４が配置され、この画面表示部１４の上側および左側にはガイド表示１６−１が表示され、このガイド表示１６−１には、風呂状態を表す「ふろ」、給湯温度を表す「給湯」、沸き上がり温度として「ふろ温度」、保温の継続時間を表す「保温時間」、現在の浴槽水位を表す「ふろ水位」、現在の時刻を表す「現在時刻」、スピーカー音量を表す「音量」が表示されている。
【００６９】
形態表示１６−２として浴槽表示、段階表示１６−３は設定水位、段階表示１６−４は設定水位に対する水位変動、領域表示１６−５は設定水位に対する現在水位の変動領域、数値表示１６−６は給湯温度、数値表示１６−７は設定ふろ温度、数値表示１６−８は現在の浴槽水温度、数値表示１６−９は沸き上がりまでの時間、数値表示１６−１０は現在の時刻、導水表示１６−１１は浴槽水ＢＷの循環、導水表示１６−１２は浴槽水ＢＷの循環または注湯、状態表示１６−１３は給湯温度現リモコン優先、単位表示１６−１４は温度または時分を表す。燃焼表示１６−１５では、給湯燃焼時に給湯燃焼表示１６−１５１、風呂燃焼時に風呂燃焼表示１６−１５２が表示される。なお、燃焼表示１６−１５は、給湯燃焼表示１６−１５１と風呂燃焼表示１６−１５２の論理和として単一表示としてもよい。
【００７０】
領域表示１６−５は、浴槽水の設定水位に対する現在水位の変動レベルの範囲を表し、段階表示１６−４および領域表示１６−５には水位変化を表す設定水位に対するパーセントの数値表示としてもよい。この例では、段階表示１６−４のひとつの単位が１０〔％〕の水位を示している。つまり、段階表示１６−４の表示個数により設定水位の０〔％〕から１００〔％〕までの段階レベルを表示することができる。
【００７１】
図６のＣは、浴槽注湯開始時の風呂情報表示を示している。この浴槽注湯時には、浴槽水温度を表す数値表示１６−８が「−−」と表示され、数値が省略されている。導水表示１６−１２は浴槽６への注湯のみを表している。
【００７２】
＜浴槽および浴槽水位＞
【００７３】
図７は、浴槽の一例を示している。この浴槽６には給水、注湯、浴槽水循環に用いられる循環口３９が備えられる。この循環口３９の中心をたとえば、浴槽６の底面から高さｈ１に設定される。たとえば、ｈ１＝１５〔ｃｍ〕である。
【００７４】
この浴槽６の水位について、初期水位Ｌｉｎｉ、基準水位Ｌｓｔおよび設定水位Ｌｎを定義する。初期水位Ｌｉｎｉは循環口３９を塞ぐ水位である。基準水位Ｌｓｔは、初期水位Ｌｉｎｉ＋ΔＬの水位である。たとえば、ΔＬ＝８〔ｃｍ〕である。Ｌｎは分割段階レベル幅Ｌｄをたとえば、Ｌｄ＝３〔ｃｍ〕とし、最低水位Ｌ１から最高水位Ｌ１１までをたとえば、１１段階としている。
【００７５】
ここで、上記数値を想定すれば、設定水位Ｌｓｅｔの最低設定水位Ｌ１ないし最高設定水位Ｌ１１は、
Ｌ１＝１５＋４＋８＋３＝３０〔ｃｍ〕
Ｌ２＝３０＋３＝３３〔ｃｍ〕
Ｌ３＝３０＋３＋３＝３６〔ｃｍ〕
・
・
・
Ｌ１１＝３０＋３×１０＝６０〔ｃｍ〕              ・・・(1) 
となる。ただし、Ｌｉｎｉ＝１５〔ｃｍ〕＋（循環口３９の半径ｒ＝４〔ｃｍ〕）、ΔＬ＝８〔ｃｍ〕  Ｌｄ＝３〔ｃｍ〕である。
【００７６】
ここで、水位センサー４０−６の検出水位の分解能をたとえば、１Ｂｉｔ＝０．２１２５〔ｃｍ〕とすれば、最低水位Ｌ１ないし最高水位Ｌ１１の水位段階幅Ｌｄはたとえば、Ｌｄ＝３〔ｃｍ〕とすれば、水位センサー４０−６に検出される水位レベルは、１４〔Ｂｉｔ〕で１４〔Ｂｉｔ〕＝２．９７５〔ｃｍ〕となる。
【００７７】
＜メモリ部６０−１のデータ記憶テーブルの記憶情報＞
【００７８】
メモリ部６０−１には各種のデータを格納するデータ記憶テーブルが備えられる。このデータ記憶テーブルには、浴槽６の設置状況や浴槽水平断面積の大きさに応じた情報を初期値として記憶する。この記憶情報は、水位レベルに対応する水位センサー４０−６の検出値であり、水量情報はその検出値から算出された値である。記憶情報には、次の情報が含まれる。
【００７９】
(a) 初期水位情報（Ｌｉｎｉ、Ｖｉｎｉ）
【００８０】
この初期水位情報には、初期水位Ｌｉｎｉと初期水量Ｖｉｎｉが含まれる。
Ｌｉｎｉ：浴槽６の底面Ｂから初期水位レベルＷ１までの水位。
Ｖｉｎｉ：浴槽６の底面Ｂから初期水位レベルＷ１までの水量。
【００８１】
(b) 基準水位情報（Ｌｓｔ、Ｖｓｔ）
【００８２】
この基準水位情報には、基準水位Ｌｓｔと基準水量Ｖｓｔが含まれる。
Ｌｓｔ：初期水位Ｌｉｎｉ＋ΔＬのΔL相当の水位。
ΔＬはたとえば、ΔＬ＝８〔ｃｍ〕である。
Ｖｓｔ：初期水量Ｖｉｎｉに加算される＋ΔＶの水量。
ΔＶは、たとえば、ΔＬ＝８〔ｃｍ〕に相当する水量である。
【００８３】
(c) 設定水位情報（Ｌｄ、Ｖｄ）
【００８４】
この設定水位情報には、段階単位水位Ｌｄおよびその水量が含まれる。
Ｌｄ：Ｌ１〜Ｌ１１の段階レベル幅を単位とする水位。
Ｖｄ：Ｌ１〜Ｌ１１の段階レベル幅を単位に相当する水量。
これらの値は水位センサー４０−６の検出値による。
【００８５】
(d) 注湯能力情報（Ｖｗ、Ｖｓ）
【００８６】
この注湯能力情報には、注湯量Ｖｗ、Ｖｓが含まれる。
Ｖｗ：ダブル搬送時単位時間当たりの注湯量。ダブル搬送時とは、注湯管に循環路の往き管または戻り管の双方を用いて注湯を行う場合である。
Ｖｓ：片搬送時の単位時間当たりの注湯量。片搬送時とは、既述の往き管または戻り管のいずれか一方を用いて注湯を行う場合である。
【００８７】
(e) 追焚能力情報（Ｔｐｗ）
【００８８】
Ｔｐｗ：単位量（１リットル）の浴槽水を単位温度（１℃）だけ上昇させるに必要な時間。
【００８９】
(f) 運転設定情報（Ｌｓｅｔ、Ｔｓｅｔ）
【００９０】
この運転設定情報には設定水位Ｌｓｅｔおよび設定温度Ｔｓｅｔが含まれる。
Ｌｓｅｔ：設定水位Ｌ１〜Ｌ１１のいずれかに設定される水位。
Ｔｓｅｔ：設定温度であり、つまり、浴槽水に設定される温度。
【００９１】
＜作業データテーブルの記憶情報＞
【００９２】
この作業データテーブルの記憶情報は、データ記憶テーブルの記憶値や稼動中の表示情報やその算出に用いられる。この作業データテーブルの記憶情報には次の情報が含まれる。
【００９３】
(g) 注湯情報（Ｖｐｌ、Ｌｐｌ、Ｖａｌｌ、Ｖｗｎ、Ｖｓｎ、Ｔｐｕｔ）
【００９４】
この注湯情報には、Ｖｐｌ、Ｌｐｌ、Ｖａｌｌ、Ｖｗｎ、Ｖｓｎ、Ｔｐｕｔが含まれる。
Ｖｐｌ：設定水位水量
Ｌｐｌ：設定水位
Ｖａ１１：累積注湯量
Ｖｗｎ：直近のダブル搬送時単位時間における注湯量
Ｖｓｎ：直近の片搬送時の単位時間における注湯量
Ｔｐｕｔ：注湯温度
【００９５】
(h) 追焚き情報（Ｖｒｅｍ、Ｔｒｅｍ、Ｔｐｗｎ）
【００９６】
この追焚き情報には、Ｖｒｅｍ、Ｔｒｅｍ、Ｔｐｗｎが含まれる。
Ｖｒｅｍ：残湯量。残湯は、加熱前に浴槽６に滞留している浴槽水である。
Ｔｒｅｍ：残湯温度
Ｔｐｗｎ：直近の追焚能力
【００９７】
なお、このように直近の情報としてＶｗｎ、Ｖｓｎ、Ｔｐｗｎを用いるため、自動注湯運転中や追いだき運転中に一般給湯など他の動作が発生した場合に、その動作に対応した情報が得られ、表示されることになる。
【００９８】
＜風呂情報表示＞
【００９９】
図８は、風呂情報表示の処理手順の一例を示している。この処理手順は風呂情報表示プログラムの動作の一例であり、後続の処理手順のメインルーチンである。
【０１００】
この処理手順では、風呂自動注湯の開始指示がありかを判断する（Ｓ１０１）。風呂自動注湯の開始指示があれば（Ｓ１０１のＹＥＳ）、残り湯判断として、残り湯無しかの判断を行う（Ｓ１０２）。残り湯無しであれば（Ｓ１０２のＹＥＳ）、自動注湯、残り湯無し、完了時間演算などを行い、リモコン装置５２−１、５２−２に風呂情報の表示を行う（Ｓ１０３）。そして、風呂自動運転が完了かの判断を行い（Ｓ１０４）、風呂自動運転が完了しなければ（Ｓ１０４のＮＯ）、リモコン装置５２−１、５２−２に風呂情報の表示を継続する。風呂自動運転が完了すれば（Ｓ１０４のＹＥＳ）、リモコン装置５２−１、５２−２の風呂情報表示をＯＦＦ状態とし、完了通知を行い（Ｓ１０５）、Ｓ１０１に戻る。
【０１０１】
また、Ｓ１０２で、残り湯無しでなければ（Ｓ１０２のＮＯ）、自動注湯、残り湯あり、完了時間演算などを行い、リモコン装置５２−１、５２−２に風呂情報の表示を行う（Ｓ１０６）。そして、風呂自動運転が完了かの判断を行い（Ｓ１０７）、風呂自動運転が完了しなければ（Ｓ１０７のＮＯ）、リモコン装置５２−１、５２−２に風呂情報の表示を継続する。風呂自動運転が完了すれば（Ｓ１０７のＹＥＳ）、Ｓ１０５に移行してリモコン装置５２−１、５２−２の風呂情報表示をＯＦＦ状態および完了通知を行い、Ｓ１０１に戻る。
【０１０２】
また、Ｓ１０１で、風呂自動注湯の開始指示がなければ（Ｓ１０１のＮＯ）、追焚き開始指示があるかの判断を行い（Ｓ１０８）、追焚き開始指示がなければ（Ｓ１０８のＮＯ）、Ｓ１０１の処理を継続する。
【０１０３】
追焚き開始指示があれば（Ｓ１０８のＹＥＳ）、追焚き、完了時間演算などを行い、リモコン装置５２−１、５２−２に風呂情報の表示を行う（Ｓ１０９）。そして、追焚き完了かの判断を行い（Ｓ１１０）、追焚き完了でなければ（Ｓ１１０のＮＯ）、リモコン装置５２−１、５２−２に風呂情報の表示を継続する。追焚きが完了すれば（Ｓ１１０のＹＥＳ）、Ｓ１０５に移行してリモコン装置５２−１、５２−２の風呂情報表示をＯＦＦ状態とし、完了通知を行い、Ｓ１０１に戻る。
【０１０４】
＜初回の全自動運転（データ記憶実施）＞
【０１０５】
図９は、初回の全自動運転の処理手順の一例を示している。この処理手順では、自動スイッチつまり、風呂自動を指示するスイッチ６６−１１１がＯＮかを判断する（Ｓ２０１）。自動スイッチがＯＮするまで待機し（Ｓ２０１のＮＯ）、自動スイッチがＯＮであれば（Ｓ２０１のＹＥＳ）、所定の給水量としてたとえば、１０〔リットル〕のダブル注湯を行う（Ｓ２０２）。この注湯の後、単位時間当たりの注湯量Ｖｗを記憶し（Ｓ２０３）、循環ポンプ４２を駆動し、残り湯の有無を確認する（Ｓ２０４）。
【０１０６】
残り湯無しかを判断し（Ｓ２０５）、残り湯が無ければ（Ｓ２０５のＹＥＳ）、循環ポンプ４２を停止する（Ｓ２０６）。残り湯があれば（Ｓ２０５のＮＯ）、排水後、再実行の指示をし（Ｓ２０７）、この処理を終了する。
【０１０７】
Ｓ２０６で循環ポンプ４２を停止した後、注湯開始後、二方弁２８−１１を閉じ、往き管３８−５１により注湯を開始する（Ｓ２０８）。この注湯開始の後、水位上昇を監視し、初期水位を検出したかを判断する（Ｓ２０９）。初期水位を検出すれば（Ｓ２０９のＹＥＳ）、片搬送時の単位時間当たりの注湯量Ｖｓ、初期水位の検出値Ｌｉｎｉ、底面から初期水位までの水量Ｖｉｎｉを記憶する（Ｓ２１０）。
【０１０８】
検出水位≧Ｌｉｎｉ＋ΔＬであるかを判断する（Ｓ２１１）。ΔＬはたとえば、８〔ｃｍ〕である。検出水位を監視し、検出水位≧Ｌｉｎｉ＋ΔＬであれば（Ｓ２１１のＹＥＳ）、注湯を停止し、二方弁２８−１１を開く（Ｓ２１２）。
【０１０９】
循環ポンプ４２を駆動し、検出水位を監視し、その検出水位が循環口３９より上であるかを確認する（Ｓ２１３）。検出水位が循環口３９より上であるかを判断し（Ｓ２１４）、検出水位が循環口３９より上でなければ（Ｓ２１４のＮＯ）、Ｓ２０８に戻り、Ｓ２０８〜Ｓ２１３までの処理を継続する。
【０１１０】
検出水位が循環口３９より上であれば（Ｓ２１４のＹＥＳ）、循環ポンプ４２を停止し（Ｓ２１５）、初期水位からの水位センサー４０−６の検出水位Ｌｓｔ、初期水位から基準水位までの水量Ｖｓｔを記憶する（Ｓ２１６）。
【０１１１】
二方弁２８−１１を閉じ、往き管３８−５１により注湯を開始する（Ｓ２１７）。検出水位を監視し、検出水位≧設定水位であるかを判定する（Ｓ２１８）。
【０１１２】
検出水位≧設定水位であれば（Ｓ２１８のＹＥＳ）、注湯を停止し、二方弁２８−１１を開き（Ｓ２１９）、一段当たりの水量Ｖｄを記憶する（Ｓ２２０）。この場合、基準水位以降の注湯量／設定値である。
【０１１３】
循環ポンプ４２を駆動し、設定温度になるまで追焚きを行う（Ｓ２２１）。そして、単位量（たとえば、１〔リットル〕）の浴槽水ＢＷを単位温度（たとえば、１〔℃〕）だけ上昇させる時間Ｔｐｗを記憶し（Ｓ２２２）、この処理を終了する。
【０１１４】
＜全自動運転（通常運転）＞
【０１１５】
図１０および図１１は、全自動運転（通常運転）の処理手順を示している。図１０、図１１において、ａは連結子である。
【０１１６】
この全自動運転は既述の初回の全自動運転（図７）に続く２回目以降の全自動運転であり、つまり、通常運転である。この全自動運転の風呂情報表示は、自動スイッチであるスイッチ６６−１１１、追焚スイッチであるスイッチ６６−１１０の入力後、リモコン装置５２−１、５２−２に表示する。この表示には、水位表示、設定温度表示、浴槽湯温表示、残時間表示が含まれる。水位表示では、設定水位に対する現状水位をたとえば、％表示や帯グラフ表示で行えばよい。
【０１１７】
この処理手順には、自動スイッチの操作判断による動作確認および最初の情報表示（Ｓ３０１〜Ｓ３０５）。
【０１１８】
区間ＡのＳ３０６〜Ｓ３０８では、基準水量（＝Ｖｉｎｉ＋Ｖｓｔ）までのダブル搬送注湯を行う。つまり、二方弁２８−１１を開き、注湯を開始し（Ｓ３０６）、更新情報〔Ｉ〕を表示し（Ｓ３０７）、注湯水量≧基準水量（＝Ｖｉｎｉ＋Ｖｓｔ）かを判断する（Ｓ３０８）。注湯水量≧基準水量（＝Ｖｉｎｉ＋Ｖｓｔ）でなければ（Ｓ３０８のＮＯ）、Ｓ３０７、Ｓ３０８の処理を継続する。
【０１１９】
区間ＢのＳ３０９〜Ｓ３１１では、基準水量（＝Ｖｉｎｉ＋Ｖｓｔ）確認中（たとえば、１５〔秒〕間）、片搬送注湯を行う。つまり、注湯水量≧基準水量（＝Ｖｉｎｉ＋Ｖｓｔ）であれば（Ｓ３０８のＹＥＳ）、二方弁２８−１１を閉じ、往き管３８−５１による注湯に切り替え（Ｓ３０９）、水位センサー４０−６の検出水量と累積注湯量Ｖａｌｌを比較し、これらの差分を残湯量Ｖｒｅｍに補正し（Ｓ３１０）、更新情報〔II〕を表示する（Ｓ３１１）。
【０１２０】
区間ＣのＳ３１２〜Ｓ３１４では、設定水位までダブル搬送注湯を行う。つまり、二方弁２８−１１を開き、ダブル注湯に切り替え（Ｓ３１２）、更新情報〔III〕を表示し（Ｓ３１３）、注湯水量≧設定水位相当かを判断する（Ｓ３１４）。注湯水量≧設定水位相当でなければ（Ｓ３１４のＮＯ）、Ｓ３１３、Ｓ３１４の処理を継続する。
【０１２１】
区間ＤのＳ３１５〜Ｓ３１９では、設定温度まで追焚きを行う。つまり、注湯を停止し、二方弁２８−１１を開き、循環ポンプ４２の駆動を開始する（Ｓ３１５）。循環温度≧設定温度かを判断し（Ｓ３１６）、循環温度≧設定温度でなければ（Ｓ３１６のＮＯ）、追焚き燃焼加熱を開始し（Ｓ３１７）、温度、時間の更新情報表示〔IV〕を行う（Ｓ３１８）。循環温度≧設定温度かを判断し（Ｓ３１９）、循環温度≧設定温度でなければ（Ｓ３１９のＮＯ）、Ｓ３１８、Ｓ３１９の処理を継続する。
【０１２２】
循環温度≧設定温度であれば（Ｓ３１９のＹＥＳ）、単位量（１リットル）の浴槽水を単位温度（１℃）だけ上昇させるに必要な時間Ｔｐｗを補正し、これを記憶し（Ｓ３２０）、循環ポンプ４２を停止し（Ｓ３２１）、この処理を終了する。
【０１２３】
この処理において、Ｓ３０３で残り湯があれば（Ｓ３０３のＮＯ）、残湯量Ｖｒｅｍから設定水位水量Ｖｐｌ、設定水位Ｌｐｌを算出する（Ｓ３２２）。
【０１２４】
検出水位＜Ｌｐｌかを判断し（Ｓ３２３）、検出水位＜Ｌｐｌであれば（Ｓ３２３のＹＥＳ）、二方弁２８−１１を開き、循環ポンプ４２を駆動する（Ｓ３２４）。残湯温度Ｔｒｅｍを計測し、循環ポンプ４２を停止し（Ｓ３２５）、注湯温度を設定温度＋αに補正し（Ｓ３２６）、最初の情報表示を行う（Ｓ３２７）。この後、注湯を開始し（Ｓ３２８）、Ｓ３１３に移行する。
【０１２５】
Ｓ３２３において、検出水位＜Ｌｐｌでなければ（Ｓ３２３のＮＯ）、Ｓ３１５に移行する。
【０１２６】
Ｓ３１６において、循環温度≧設定温度であれば（Ｓ３１６のＹＥＳ）、更新情報表示〔V〕を実行し（Ｓ３２９）、所定時間たとえば、４０〔秒〕が経過したかを判断し（Ｓ３３０）、この時間が経過するまでＳ３１６、Ｓ３２９、Ｓ３３０の処理を実行する。所定時間が経過すれば（Ｓ３３０のＹＥＳ）、Ｓ３２１に移行して循環ポンプ４２を停止し、この処理を終了する。
【０１２７】
このフローチャートについて、より詳細に説明すれば、この処理手順では、リモコン装置５２−１、５２−２における自動スイッチであるスイッチ６６−１１１による自動運転が指示されたかを判断する（Ｓ３０１）。なお、自動運転の処理中、自動スイッチであるスイッチ６６−１１１がＯＦＦされると、自動運転は中断し、終了する。自動運転が指示されると（Ｓ３０１のＹＥＳ）、自動運転が開始され、水位センサー４０−６の検出水位により浴槽６に残り湯の確認を行う（Ｓ３０２）。この確認では、浴槽６に残り湯がなしかを判断する（Ｓ３０３）。
【０１２８】
浴槽６に残り湯があれば（Ｓ３０３のＮＯ）、水位センサー４０−６の検出水位より残り湯Ｖｒｅｍを算出する（Ｓ３２２）。この場合、設定水位水量Ｖｐｌに（Ｖｉｎｉ＋Ｖｓｔ＋Ｖｄ×Ｌｓｅｔ）を、設定水位Ｌｐｌに（Ｌｉｎｉ＋Ｌｓｔ＋Ｌｄ×Ｌｓｅｔ）を設定する。
【０１２９】
ここで、Ｌｓｅｔは設定水位、浴槽６の１〜１１段階中で予め設定されている値である。残湯量Ｖｒｅｍは、
Ｖｒｅｍ＝
（検出水位−（Ｌｉｎｉ＋Ｌｓｔ））／Ｌｄ×Ｖｄ＋Ｖｉｎｉ＋Ｖｓｔ
・・・(2) 
から求めればよい。
【０１３０】
検出水位（水位センサー４０−６の検出値）が設定水位Ｌｐｌ以上であれば（Ｓ３２３のＮＯ）、注湯の必要はなく、追焚処理（Ｓ３１５）に移行する。検出水位が設定水位Ｌｐｌ未満であれば（Ｓ３２３のＹＥＳ）、つまり注湯が必要であるから、二方弁２８−１１を開放し、循環ポンプ４２を駆動し（Ｓ３２４）、残湯温度Ｔｒｅｍを計測し、その計測値を記憶し、循環ポンプ４２を停止する（Ｓ３２５）。
【０１３１】
ここで、自動運転の運転時間を短縮するには、注湯後の追焚運転を回避すればよい。そこで、注湯温度Ｔｐｕｔを補正する（Ｓ３２６）。残湯温度Ｔｒｅｍの設定温度Ｔｓｅｔに必要な不足熱量に対し、設定温度Ｔｓｅｔより高い温度の温水を注湯すればよい。これにより、不足熱量を補填することができる。この熱量補填のための補正温度をαとすれば、
Ｔｓｅｔ×Ｖｐｌ＝
（Ｔｒｅｍ×Ｖｒｅｍ）＋｛（Ｔｓｅｔ＋α）×（Ｖｐｌ−Ｖｒｅｍ）｝
・・・(3) 
より、この補正温度αは、
α＝｛（Ｔｓｅｔ−Ｔｒｅｍ）×Ｖｒｅｍ）｝÷（Ｖｐｌ−Ｖｒｅｍ）
となる。つまり、Ｔｐｕｔ＝Ｔｓｅｔ＋αの温度で行えば、注湯終了時、湯温が設定温度になる。
【０１３２】
自動運転終了までの各工程区間の時間を計算し、その合計時間を残り時間とし、この時間情報を表示する（Ｓ３２７）。各区間の時間計算は、次の通りである。
【０１３３】
〔区間Ｃ〕の時間ｔＣは、
ｔＣ＝（Ｖｐｌ−Ｖｒｅｍ）／Ｖｗ                      ・・・(4) 
となる。
【０１３４】
〔区間Ｄ〕の時間ｔＤは、
ｔＤ＝｛Ｖｒｅｍ×（Ｔｓｅｔ−Ｔｒｅｍ）｝×Ｔｐｗ      ・・・(5) 
となる。この場合、注湯温度補正を行い（Ｓ３２６）、所定時間としてたとえば、４０〔秒〕を想定する。また、累積注湯量Ｖａｌｌの積算開始は、この時点を起点とすればよい。
【０１３５】
次に、注湯電磁弁２８−８を開き、注湯を開始する（Ｓ３２８）。このとき、給湯側では、温度センサー４０−３の検出温度が注湯温度Ｔｐｕｔになるように制御する。注湯温度Ｔｐｕｔには、設定温度Ｔｓｅｔもしくは設定温度Ｔｓｅｔに対してＳ３２６で補正された（設定温度Ｔｓｅｔ＋α）がセットされる。
【０１３６】
浴槽６に残り湯がなければ（Ｓ３０３のＹＥＳ）、残り湯Ｖｒｅｍに“ ０” をセットするとともに、設定水量Ｖｐｌに（Ｖｉｎｉ＋Ｖｓｔ＋Ｖｄ×Ｌｓｅｔ）をセットし、これに対応する設定水位Ｌｐｌをセットする（Ｓ３０４）。
【０１３７】
自動運転終了までの各工程区間の時間を計算し、その合計時間を残り時間とし、情報表示する（Ｓ３０５）。この場合、温度表示は除く。各区間の計算は次の通りである。
【０１３８】
〔区間Ａ〕の時間ｔＡは、
ｔＡ＝（Ｖｉｎｉ＋Ｖｓｔ）／Ｖｗ            ・・・(6) 
である。
【０１３９】
〔区間Ｂ〕の時間ｔＢは、ｔＢ＝１５〔秒〕である。
【０１４０】
〔区間Ｃ〕の時間ｔＣは、
ｔＣ＝
｛（Ｖｄ×Ｌｓｅｔ）−（区間Ｂの注湯量）｝／Ｖｗ
・・・(7) 
である。
【０１４１】
区間Ｂの注湯量は、時間およびＶｓにより、たとえば、１５〔秒〕とＶｓの積により求めればよい。
【０１４２】
〔区間Ｄ〕の時間ｔＤは、この段階ではＳ３３０より終了を想定し、ｔＤ＝４０〔秒〕とすればよい。
【０１４３】
また、累積注湯量Ｖａｌｌの積算は情報表示の時点を起点として開始する。区間Ａおよび区間Ｃでは、注湯量センサー４０−４により直近の単位時間当たりのダブル搬送による注湯量Ｖｗｎを検出してＶａｌｌを積算する。区間Ｂでは、注湯量センサー４０−４により直近の単位時間当たりの片搬送による注湯量Ｖｓｎを検出し、累積注湯量Ｖａｌｌを積算する。さらに、Ｖｗｎによりダブル搬送時の単位時間当たりの注湯量Ｖｗの更新、Ｖｓｎにより片搬送時単位時間当たりの注湯量Ｖｓの更新を行う。
【０１４４】
二方弁２８−１１を開放し、ダブル搬送注湯の準備をし、注湯電磁弁２８−８を開き、注湯を開始する（Ｓ３０６）。このとき、給湯路側では、温度センサー４０−３の検出値が注湯温度Ｔｐｕｔになるように制御する。注湯温度Ｔｐｕｔには予め設定された設定温度Ｔｓｅｔがセットされる。
【０１４５】
浴槽情報を更新、表示〔Ｉ〕を行いながら（Ｓ３０７）注湯を行い、累積注湯量（Ｖａｌｌ）が基準水位相当（Ｖｉｎｉ＋Ｖｓｔ）になると（Ｓ３０８のＹＥＳ）、二方弁２８−１１を閉じ、片搬送注湯に一時的（１５秒ほど）に切り替える（Ｓ３０９）。
【０１４６】
水位センサー４０−６の検出値を取り込み、その値に相当する水量を算出し、累積注湯量Ｖａｌｌとの差を求め、必要に応じ残湯量Ｖｒｅｍとする（Ｓ３１０）。ここで、水位センサー４０−６の検出値の相当水量は、
相当水量＝｛水位センサー４０−６の検出値−（Ｌｉｎｉ＋Ｌｓｔ）｝／（Ｌｄ×Ｖｄ＋Ｖｉｎｉ＋Ｖｓｔ）                                                ・・・(8)
である。
【０１４７】
この処理により、循環口３９以下の水位であった残湯量Ｖｒｅｍが検出できるが、水量は少量である。このため、残湯温度Ｔｒｅｍは設定温度Ｔｓｅｔにすればよい。
【０１４８】
更新情報表示には片搬送時の実注湯量などを反映させ、浴槽情報として更新情報表示〔II〕を行う（Ｓ３１１）。その後、二方弁２８−１１を開放し、ダブル搬送による注湯に切替える（Ｓ３１２）。
【０１４９】
更新情報表示〔III〕では、浴槽情報を更新し（Ｓ３１３）、ダブル搬送による注湯を設定水位相当量だけ（詳細には、残湯量Ｖｒｅｍ＋累積注湯量Ｖａｌｌが設定水位水量Ｖｐｌになるまで）行う（Ｓ３１４）。注湯を終了し、追焚きの準備として、二方弁２８−１１を開放し、循環ポンプ４２を駆動する（Ｓ３１５）。
【０１５０】
温度センサー４０−７の検出温度が設定温度Ｔｓｅｔ以上（Ｓ３１６のＹＥＳ）で４０〔秒〕間継続すれば（Ｓ３３０のＹＥＳ）、沸上がり完了とする。その間、更新情報表示〔V〕では浴槽情報を更新する（Ｓ３２９）。また、温度センサー４０−７の検出温度が設定温度Ｔｓｅｔ未満であれば（Ｓ３１６のＮＯ）、追焚き燃焼を開始する（Ｓ３１７）。
【０１５１】
追焚き運転中は、温度センサー４０−７の検出温度などから直近の追焚能力Ｔｐｗｎを算出し、検出温度、残時間などの浴槽情報を更新し、その表示〔IV〕をしながら（Ｓ３１８）、設定温度Ｔｓｅｔになるまで（Ｓ３１９）、追焚き運転を行う（Ｓ３１７）。
【０１５２】
設定温度Ｔｓｅｔになれば（Ｓ３１９のＹＥＳ）、追焚き燃焼時間、上昇温度、浴槽水量よりＴｐｗの補正・更新を行い（Ｓ３２０）、燃焼加熱の終了とともに循環ポンプ４２を停止し（Ｓ３２１）、この処理を終了する。
【０１５３】
上記処理において、各処理を補足すれば、次の通りである。
【０１５４】
更新情報表示〔I〕について、水位表示は、Ｖａｌｌ／Ｖｐｌをベースにし、既述したように％表示もしくは帯グラフ表示とすればよい。この場合、設定温度は予め設定された温度Ｔｓｅｔとすればよい。浴槽湯温は、注湯温度＝予め設定された温度Ｔｓｅｔとすればよい。残時間は、下記区間時間の合計とすればよい。つまり、
〔区間Ａ〕  （Ｖｉｎｉ＋Ｖｓｔ−Ｖａｌｌ）／Ｖｗｎ                  ・・・(9)
〔区間Ｂ〕  １５秒
〔区間Ｃ〕  ｛（Ｖｄ×Ｌｓｅｔ）−（区間Ｂの注湯量）｝／Ｖｗｎ  区間Ｂの注湯量は、１５〔秒〕とＶｓより求める。
〔区間Ｄ〕  この段階ではＳ３３０より終了を想定し、４０〔秒〕
【０１５５】
更新情報表示〔II〕について、水位表示は、既述のＶａｌｌ／Ｖｐｌをベースに、％表示もしくは帯グラフ表示とすればよい。
【０１５６】
更新情報表示〔III〕について、水位表示は、％表示または帯グラフ表示としても、そのベースをたとえば、（Ｖａｌｌ＋Ｖｒｅｍ）／Ｖｐｌとする。また、浴槽湯温は、（Ｖａｌｌ×Ｔｐｕｔ＋Ｖｒｅｍ×Ｔｒｅｍ）／（Ｖａｌｌ＋Ｖｒｅｍ）で求め、注湯温度Ｔｐｕｔ＝設定温度（Ｔｓｅｔ）またはＳ３２６にて補正した温度（Ｔｓｅｔ＋α）であり、残時間は下記区間時間の合計である。
〔区間Ｃ〕  （（Ｖｐｌ）−（Ｖａｌｌ＋Ｖｒｅｍ））／Ｖｗｎ
〔区間Ｄ〕  Ｓ３０３にて残湯なしと判断、もしくはＳ３２６で補正を行なった場合、Ｓ３３０より終了を想定した一定時間としてたとえば、４０〔秒〕である。
【０１５７】
残湯ありでは、Ｓ３２６で補正なしの場合、｛Ｖｒｅｍ×（設定温度−Ｔｒｅｍ）｝×Ｔｐｗとなる。
【０１５８】
更新情報表示〔IV〕については、水位表示は、１００〔％〕もしくは１００〔％〕に相当する帯グラフの表示とすればよい。設定温度は予め設定された温度Ｔｓｅｔであり、浴槽湯温は温度センサー４０−７の検出温度であり、残時間は、｛Ｖｐｌ×（Ｔｓｅｔ−浴槽温度センサー値）｝×Ｔｐｗｎとすればよい。
【０１５９】
更新情報表示〔V〕については、水位表示は、１００〔％〕もしくは１００〔％〕に相当する帯グラフの表示とすればよい。設定温度は、予め設定された温度Ｔｓｅｔであり、浴槽湯温は、温度センサー４０−７の検出温度であり、残時間は、所定時間としてたとえば、４０〔秒〕からカウントダウンした値である。
【０１６０】
図１２は、各段階の風呂情報表示の一例を示している。図１２のＡは、Ｓ３０５の最初の情報表示を示している。この場合、温度情報は除かれている。この場合、導水表示１６−１２により注湯中であることを示し、浴槽水位は設定水位に対し０〔％〕を示している。また、沸き上がりまでの時間が２０〔分〕であることを示している。
【０１６１】
図１２のＢは、更新情報表示〔Ｉ〕を示している。図１２のＡの情報表示に対し、導水表示１６−１２により注湯中であり、浴槽水位が４０〔％〕まで増加し、沸き上がりまでの時間が１５〔分〕であり、浴槽水温度が４０〔℃〕であることを示している。
【０１６２】
図１２のＣは、更新情報表示〔IV〕を示している。導水表示１６−１１、１６−１２により追焚き中であり、浴槽水位が１００〔％〕まで増加し、沸き上がりまでの時間が２〔分〕であり、浴槽水温度が３９〔℃〕であることを示している。
【０１６３】
図１２のＤは、更新情報表示〔V〕を示している。導水表示１６−１１、１６−１２により追焚き循環が実行されていることを示している。この場合、浴槽水位が１００〔％〕であり、沸き上がりまでの時間が１〔分〕であり、浴槽水温度が設定温度と同様に４０〔℃〕に到達したことを示している。
【０１６４】
図１３は、追焚運転の処理手順を示している。この処理手順では、追焚きスイッチであるスイッチ６６−１１０がＯＮかを判断する（Ｓ４０１）。スイッチ６６−１１０がＯＮであれば（Ｓ４０１のＹＥＳ）、リモコン装置５２−１、５２−２にて追焚運転が指示される。なお、追焚運転の処理中、追焚きスイッチであるスイッチ６６−１１０がＯＦＦされると、追焚運転が中断し、終了する。追焚運転を開始されると、水位センサー４０−６により残り湯Ｖｒｅｍを算出してメモリ部６０−１に記憶し（Ｓ４０２）、最初の情報表示を行う（Ｓ４０３）。この場合、浴槽６の水位情報表示のみを行う。
【０１６５】
二方弁２８−１１を開放し、循環ポンプ４２を駆動し（Ｓ４０４）、水流センサー４０−５により浴槽水ＢＷの循環があるかを確認し（Ｓ４０５）、その確認ができれば（Ｓ４０５のＹＥＳ）、追焚燃焼を開始する（Ｓ４０６）。循環ポンプ４２の駆動開始後、所定時間としてたとえば、１〔分〕の経過後、残湯温度Ｔｒｅｍを計測して記憶し（Ｓ４０７）、浴槽水位とともに現状の残湯温度、残り追焚時間の表示を行う（Ｓ４０８）。ここで、残り追焚時間は、たとえば、次式を用いて求めればよい。
残り追焚時間＝（Ｖｒｅｍ×（設定温度−Ｔｒｅｍ））／Ｔｐｗ    ・・・(10)
【０１６６】
追焚中は、温度センサー４０−７の検出温度などから直近の追焚能力Ｔｐｗｎを算出し、温度、残時間等の浴槽情報を更新およびその表示を行い（Ｓ４０９）、循環温度≧設定温度であるかを判定する（Ｓ４１０）。つまり、設定温度になるまで追焚燃焼を継続する。
【０１６７】
循環温度≧設定温度となれば（Ｓ４１０のＹＥＳ）、追焚燃焼時間、上昇温度、浴槽水量よりＴｐｗの補正・更新を行い（Ｓ４１１）、燃焼加熱の終了とともに循環ポンプ４２を停止し（Ｓ４１２）、この追焚き運転を終了する。
【０１６８】
Ｓ４０３における風呂情報の表示ではたとえば、水位にはＶｒｅｍ／Ｖｐｌをベースに％もしくは帯グラフ、設定温度には予め設定された温度Ｔｓｅｔ、浴槽湯温には測定中表示（“−−−” など）、残時間には測定中表示（“−−−” など）を表示すればよい。
【０１６９】
Ｓ４０８における風呂情報の表示ではたとえば、水位にはＶｒｅｍ／Ｖｐｌをベースに％もしくは帯グラフ、設定温度には予め設定された温度Ｔｓｅｔ、浴槽湯温にはＴｒｅｍ、残時間には｛Ｖｒｅｍ×（Ｔｓｅｔ−Ｔｒｅｍ）｝×Ｔｐｗから求めた値を表示すればよい。
【０１７０】
また、Ｓ４０９における風呂情報の表示ではたとえば、水位にはＶｒｅｍ／Ｖｐｌをベースに％もしくは帯グラフ、設定温度には予め設定された温度Ｔｓｅｔ、浴槽湯温には浴槽温度の検出値、残時間には｛Ｖｒｅｍ×（Ｔｓｅｔ−温度センサー４０−７の検出値）｝×Ｔｐｗｎから求めた値を表示すればよい。
【０１７１】
図１４は、追焚き運転における各段階の風呂情報表示の一例を示している。図１４のＡは、Ｓ４０３の最初の情報表示を示している。この場合、温度情報、沸き上がり時間は除かれている。この場合、導水表示１６−１１、１６−１２により循環中であることを示し、浴槽水位は設定水位に対し１００〔％〕の水位であることを示し、設定温度が４０〔℃〕であることを示している。
【０１７２】
図１４のＢは、Ｓ４０８の更新情報表示を示している。図１４のＡの情報表示に対し、導水表示１６−１１、１６−１２により循環中であること、現在の浴槽水温度が３４〔℃〕であり、沸き上がり時間が１０〔分〕後であることを予告表示している。
【０１７３】
＜実施例の効果＞
【０１７４】
上記実施例によれば、次の効果が得られる。
【０１７５】
(1) 自動注湯運転中や追いだき運転中の温度情報、水位情報、沸き上がりまでの時間などの動的情報をたとえば、リモコン装置５２−１、５２−２の風呂情報表示から即座に知ることができるなど、利便性の高い風呂情報表示が得られる。
【０１７６】
(2) 直近の動作情報により情報表示を行うため、浴槽への注湯以外に一般給湯など他の動作が発生した場合でも対応した動的な情報を表示できるとともに、現在の状態を表す正確な情報表示が得られ、ユーザは現在の状況をその情報から的確に認識することができる。
【０１７７】
(3) 風呂情報表示は入浴前、入浴中または入浴後に関係なく、動的に表示されるので、入浴の安全性や利便性を高めることができる。
【０１７８】
(4) 入浴中には浴槽水の温度が表示されるので、温度設定の変更、必要に応じて追焚きなどの契機とすることができ、快適な入浴情報を得ることができる。
【０１７９】
(5) 動的な情報表示を確認でき、快適な入浴を実現できる。
【０１８０】
〔他の実施の形態〕
【０１８１】
ａ）上記実施の形態では、風呂情報表示装置２についてリモコン装置５２−１を例示したが、リモコン装置５２−２でもよく、また、双方であってもよい。
【０１８２】
ｂ）風呂情報表示装置２は、図１５のＡに示すように、熱源機４の熱源機制御部５を含んで構成されてよい。
【０１８３】
ｃ）風呂情報表示装置２は、図１５のＢに示すように、リモコン装置５２−１またはリモコン装置５２−２と情報処理端末の一例であるスマートフォン７４やインターネット回線を介してたとえば、無線により接続し、スマートフォン７４に風呂情報を表示させてよい。
【０１８４】
ｄ）風呂情報表示装置２は、給湯器制御部４６−１と情報処理端末の一例であるスマートフォン７４やインターネット回線を介してたとえば、無線により接続し、スマートフォン７４に風呂情報を表示させてよい。
【０１８５】
以上説明したように、風呂情報表示装置、風呂情報表示プログラム、熱源機およびリモコン装置の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【０１８６】
従来の風呂情報の表示が主として結果的表示であるのに対し、この風呂情報表示では、入浴中または入浴後に関係なく、刻々と変化する風呂情報の状態表示であり、風呂の沸き上がりの予測時間などの予想情報を動的に表示することができる。
【符号の説明】
【０１８７】
２  風呂情報表示装置
４  熱源機
５  熱源機制御部
６  浴槽
８  制御手段
１０  情報表示手段
１２  表示パネル部
１４  画面表示部
１６−１  ガイド表示
１６−２  形態表示
１６−３、１６−４  段階表示
１６−５  領域表示
１６−６、１６−７、１６−８、１６−９、１６−１０  数値表示
１６−１１、１６−１２  導水表示
１６−１３  状態表示
１６−１４  単位表示
１６−１５  燃焼表示
１６−１５１  給湯燃焼表示
１６−１５２  風呂燃焼表示
２０  風呂給湯器
２２  燃焼室
２４−１  第１のバーナー
２４−２  第２のバーナー
２６  燃料供給管
２８−０  元電磁弁
２８−１  ガス比例弁
２８−２、２８−３、２８−４、２８−５  燃料制御弁
２８−６  水制御弁
２８−７  バイパス制御弁
２８−８  注湯電磁弁
２８−９、２８−１０  逆止弁
２８−１１  二方弁
３０−１、３０−２、３０−３、３０−４  分岐管
３２  給気ファン
３４−１、３４−２  排気筒
３６−１  第１の熱交換器
３６−２  第２の熱交換器
３６−３  第３の熱交換器
３８−１  給水路
３８−２  給湯路
３８−３  バイパス路
３８−４  注湯路
３８−５  循環路
３８−５１  往き管
３８−５２  戻り管
３９  循環口
４０−１  温度センサー
４０−２  給水量センサー
４０−３  温度センサー
４０−４  注湯量センサー
４０−５  水流センサー
４０−６  水位センサー
４０−７  温度センサー
４２  循環ポンプ
４４  電装基板
４６−１  給湯器制御部
５０  通信ケーブル
５２−１、５２−２  リモコン装置
５４−１、５４−２  表示器
５６  制御系統
５８−１、５８−２、５８−３  プロセッサ
６０−１、６０−２、６０−３  メモリ部
６２−１、６２−２、６２−３  システム通信部
６４−１、６４−２、６４−３  入出力部（Ｉ／Ｏ）
６６−１、６６−２、６６−１０１〜６６−１１１  スイッチ
６８−１、６８−２、６８−１０１〜６６−１０７  インジケーター
７０−１、７０−２  スピーカー
７２  前面パネル部
【図１】
0006533090.tif 000002
【図２】
0006533090.tif 000003
【図３】
0006533090.tif 000004
【図４】
0006533090.tif 000005
【図５】
0006533090.tif 000006
【図６】
0006533090.tif 000007
【図７】
0006533090.tif 000008
【図８】
0006533090.tif 000009
【図９】
0006533090.tif 000010
【図１０】
0006533090.tif 000011
【図１１】
0006533090.tif 000012
【図１２】
0006533090.tif 000013
【図１３】
0006533090.tif 000014
【図１４】
0006533090.tif 000015
【図１５】
0006533090.tif 000016